(57)【要約】      （修正有）【課題】液体浄化や土壌改良や消臭等の浄化効果のある浄化材であって、使用済のガラス等を用いてなるエコ浄化材を提供する。【解決手段】エコ浄化材１は浄化材本体２と、これに連続多孔質形成処理（例えば、発泡処理）を施して形成される多数の連続微細発泡孔３と、浄化材本体２の表面に塗布される光触媒４及び連続微細発泡孔３に含侵させる光触媒４ａ等とからなる。また、発泡孔の形成処理方法を変えることにより比重が０．３から１．６のものを形成することができる。浄化材本体２はガラスやプラスチックや鉱石等を粉砕して、小牛の粉砕物とした固形材である。この固形材の種類を選ぶことによりエコ発泡材を透光性のあるものにすることができる。【選択図】図１
0003171431.tif 000002
【実用新案登録請求の範囲】
【請求項１】
使用済の固形材を粉砕及び多孔質形成処理して連続微細発泡孔を形成してなるエコ発泡材に触媒又は菌を塗布及び含侵させて形成されることを特徴とするエコ浄化材。
【請求項２】
前記固形材がガラス，プラスチック，鉱石であることを特徴とする請求項１に記載のエコ浄化材。
【請求項３】
前記エコ発泡材の比重が０．３乃至１．６であることを特徴とする請求項１又は２に記載のエコ浄化材。
【請求項４】
前記触媒が光触媒又は酵素であり、前記菌が納豆菌であることを特徴とする請求項１に記載のエコ浄化材。
【請求項５】
前記エコ発泡材が透光性のものからなることを特徴とする請求項１乃至３のいずれかに記載のエコ浄化材。
【考案の詳細な説明】
【技術分野】
【０００１】
本考案は、各種の浄化処理対象物に各種の浄化処理を行う浄化材に係り、特に、使用済の固形材を使用し、これを粉砕し、連続する多孔質孔形成処理してエコ発泡材を作り、この表面や前記孔内に触媒や菌等を固着してなるエコ浄化材に関する。
【背景技術】
【０００２】
浄化処理を行う対象物は各種のものがあり、この浄化材としても各種のものがある。これ等の浄化材としては使用済の部材を再使用すると共に液体に浮上するものや液体内に沈積するものが望ましく、浄化処理を行う媒体としては触媒や菌を使用するものが望ましい。しかしながら、従来技術ではこの要請を満足するものがなく、本考案にやや似ている公知技術としては「特許文献１」が挙げられる。
【先行技術文献】
【特許文献】
【０００３】
【特許文献１】特開平１０−２７７５６９号（図１）
【考案の概要】
【考案が解決しようとする課題】
【０００４】
「特許文献１」の「特開平１０−２７７５６９号」の「二酸化チタン混入セラミックの水質浄化材」は光触媒を用いた浄化材であり、触媒を使用している浄化材と言う点において本考案に似ているものであるが、使用済の固形材を用いたものではなく、粉砕処理や多孔質孔処理を施して形成されたものでなく、処理対象物が水に限定するものであり、本考案とは構成や目的において大きく相違するものである。なお、本考案の出願人の調査では本考案に類似する公知技術は見当らない。
【０００５】
本考案は、前記のように使用済の固形材を用いてこれに光触媒の如き浄化質部材を十分に固着せしめて各種の浄化処理対象物の浄化処理を行うべく考案されたエコ浄化材を提供することを目的とする。
【課題を解決するための手段】
【０００６】
本考案は、以上の目的を達成するために、請求項１の考案は、使用済の固形材を粉砕及び多孔質形成処理して連続微細発泡孔を形成してなるエコ発泡材に触媒又は菌を塗布及び含侵させて形成されることを特徴とする。
【０００７】
また、請求項２の考案は、前記固形材がガラス，プラスチック，鉱石であることを特徴とする。
【０００８】
また、請求項３の考案は、前記エコ発泡材の比重が０．３乃至１．６であることを特徴とする。
【０００９】
また、請求項４の考案は、前記触媒が光触媒又は酵素であり、前記菌が納豆菌であることを特徴とする。
【００１０】
また、請求項５の考案は、前記エコ発泡材が透光性のものからなることを特徴とする。
【考案の効果】
【００１１】
本考案の請求項１のエコ浄化材によれば、使用済の固形材を用いてこれに触媒や菌を固着した連続微細発泡孔を有する浄化材を形成することができ、浄化対象物に対してその浄化を効率的に、かつ確実に行うことができ部材を提供することができる。
【００１２】
また、本考案の請求項２のエコ浄化材によれば、使用済のガラスやプラスチックや鉱石を用いることができ、エコに大きく貢献することができる。
【００１３】
また、本考案の請求項３のエコ浄化材によれば、本考案のエコ浄化材は比重が０．３から１．６のものまであるため、処理対象物が液体の場合にその液対の表面に浮上させて浄化を行うことができると共に液体内に沈積して浄化を行うことができ、浄化処理方法の拡大化を図ることができる。
【００１４】
また、本考案の請求項４のエコ浄化材によれば、触媒として光触媒や酵素を用いることができ、菌としても納豆菌を用いるため、浄化機能の向上と、浄化内容の拡大化を図ることができる。
【００１５】
また、本考案の請求項５のエコ浄化材によれば、エコ発泡材を透光性のあるものにすることにより、照明体からの紫外線等の照射効率の拡大化ができ、浄化処理効果の向上を図ることができる。
【図面の簡単な説明】
【００１６】
【図１】本考案のエコ浄化材の概要構造を示す模式的外観図（ａ）及び（ａ）のＡ−Ａ線断面図。
【図２】本考案のエコ浄化材の製造方法を説明するための模式的構成図。
【図３】本考案のエコ浄化材の製造方法を示すフローチャート。
【考案を実施するための形態】
【００１７】
以下、本考案のエコ浄化材の実施の形態を図面を参照して説明する。
【実施例１】
【００１８】
本実施例は使用済の固形体としてガラス瓶を使用した場合であり、触媒として光触媒を用いたものについて説明するが、本考案はこの内容に限定するものではない。
【００１９】
図１に示すように、本考案のエコ浄化材１は浄化材本体２と、これに連続多孔質形成処理（例えば、発泡処理）を施して形成される多数の連続微細発泡孔３と、浄化材本体２の表面に塗布される光触媒４及び連続微細発泡孔３に含侵させる光触媒４ａ等とからなる。なお、このエコ浄化材１の連続微細発泡孔の形成処理の方法はノウハウのため説明を省略する。また、発泡孔の形成処理方法を変えることにより比重が０．３から１．６のものを形成することができる。また、固形材の種類を選ぶことによりエコ発泡材を透光性のあるものにすることができる。
【００２０】
次に、図２及び図３により、図１に示したエコ浄化材１の製造方法を説明する。
まず、ガラス瓶５を粉砕し、小片の粉砕物６を作る（ステップ１）。次に、発泡処理を行い（ステップ２）、多数の連続微細発泡孔３を形成するエコ発泡材７を作る（ステップ３）。
次に、このエコ発泡材７の表面に光触媒４を塗布し（ステップ４）、引き続きエコ発泡材７の連続微細発泡孔３に光触媒４ａを含侵させる（ステップ５）。以上により、図１に示したエコ浄化材１が作られる（ステップ６）。
なお、以上の工程において作られる連続微細発泡孔３は小孔であると共にその道中の長さが非常に長いものが形成されるが、この発泡方法についてはここで開示しない。
以上により、図１に示すエコ浄化材１が形成される。このエコ浄化材１は例えば太陽光等の照射を受けることにより浄化機能のある浄化材１として機能し、各種の浄化作用を行うことができる。
【００２１】
以上の説明では、固形材としてガラス瓶５を採用したが、固形材についてはガラス瓶５に限定するものではなく、他のガラスやプラスチックや鉱石が適用される。また、エコ浄化材１の内容の説明は前記の内容に限定するものではなく、光触媒の替りに酵素や納豆菌が適用される。また、同一技術的範疇のものが適用されることは勿論である。
【産業上の利用可能性】
【００２２】
本考案は浄化を必要とするすべての対象物に適用され、液上に浮上したり液内に沈積して浄化作成を行うことができるものであり、その利用範囲は極めて広い。なお、その利用範囲の数例としてはグリーストラップの油脂の浄化、粘土質の水はけ解削用、土壌改善、樹木の活性化等、色々な対象物に適用されその利用範囲は極めて広い。
【符号の説明】
【００２３】
１    エコ浄化材
２    浄化材本体
３    連続微細発泡孔
４    光触媒
４ａ  光触媒
５    ガラス瓶
６    粉砕物
７    エコ発泡材
【図１】
0003171431.tif 000003
【図２】
0003171431.tif 000004
【図３】
0003171431.tif 000005